(57)【要約】      （修正有）【課題】オゾンによる皮膚洗浄が効果的に行え、美顔処理、美肌処理、美白処理等に好適なオゾン皮膚洗浄装置を提供する。【解決手段】オゾンを生成するオゾン発生部１０と、オゾンと空気とを混合して、前記オゾンの濃度を皮膚に吹き付けた際に該皮膚に損傷を与えない程度に希釈するオゾン希釈部２０と、該オゾン希釈部２０で希釈されたオゾン含有気体を噴出させるプローブ３０とを備えるオゾン皮膚洗浄装置であって、該プローブ３０は多孔質材料よりなり、該プローブ３０を温水に浸した際に、生成する泡の径として少なくとも毛穴径以下の微細径の泡を発生させることを特徴とする。該装置を水道水等の淡水や海水の汲み上げ装置に組み込む事で、微細気泡による超音波オゾン殺菌水とし、消毒用の水や殺菌用の水として利用出来る事も特徴としている。【選択図】図２
2005034566.tif 000002
【特許請求の範囲】
【請求項１】
装置本体Ａは、大小各種の方形状の筐体（１１）を有し、該筐体（１１）には、上部に把手部（１２）を設け、表面にオゾン供給口（１６）を設けると共に、パワータイマー（１３）、オゾン供給量ハンドル（１４）及び空気供給ハンドル（１５）を装設したオゾン皮膚洗浄装置において、前記筐体（１１）には、内部にオゾンを生成するオゾン発生部（１０）を設け、該オゾン発生部（１０）は、空気と混合して損傷を与えない程度に希釈するオゾン希釈部（２０）に連通すると共に、該オゾン希釈部（２０）に空気吸入部（２２）を連設し、該オゾン希釈部（２０）には、開閉バルブ（２４）を連係し、該開閉バルブ（２４）には、流量を制御する気体供給制御部（２６）を連設し、且つ該開閉バルブ（２４）には、皮膚の表面に当てるプローブ（３０）を連結したことを特徴とするオゾン皮膚洗浄装置。
【発明の詳細な説明】
【発明の詳細な説明】
【産業上の利用分野】
【０００１】  本発明は、浴槽又は洗顔容器等に使用する皮膚の表面に良好なオゾンを供給して泡を発生させ皮膚の表面に付着した汚れた成分を除去することを目的としたオゾン皮膚洗浄装置に関するものである。
【背景技術】
【０００２】  従来この種のオゾンガス発生装置は、１台の送風機と、浴槽用又は洗顔容器用の気泡発生プローブを組み合わせて使用するのが一般的に使用されている現状である。
更に、送風機の吐出側を、浴槽の底部に配設する気泡発生するプローブに連結して、浴槽に加圧された空気を噴射して気泡を発生させ、また、送風機の吐出側を洗顔容器の底部に設置される気泡発生プローブに連結して、洗顔容器に気泡を発生させるものである。（例えば、特開平６−２１０号公報の図５、特開平７−５１３３５号公報の図１参照）
【発明が解決しよとうする課題】
【０００３】  従来のオゾン皮膚洗浄装置においては、オゾンを気体として使用したり、水に溶解させて使用しているので、オゾンを気体として利用する場合には、オゾンがすぐさま散失してしまうので、吸引或いは吹き付けといった用途しかなく、オゾンによる皮膚洗浄効果が充分に得られない欠点がある。また、オゾンを水に溶解させたオゾン水の場合には、半減期が３０分程度と多少は長いものの、長時間にわたって殺菌力を継続して保存しておくことができない。そのため、うがい、洗い流し、浸け置き等の用途に限定される欠点がある。
本発明は上述する課題を解決するもので、本発明の主たる目的とする所は、洗浄しようとする顔の皮膚部分及び身体部分にオゾンによる皮膚洗浄がプローブによって効果的に行え、美顔処理、美肌処理、美白処理等に好適なオゾン皮膚洗浄装置を提供するものである。
【課題を解決するための手段】
【０００４】  本発明は、上記目的を達成するために、例えば図１に示すように、大小各種の方形状よりなる筐体の内部にオゾンを生成するオゾン発生部（１０）と、オゾンと空気とを混合して、前記オゾンの濃度を皮膚に吹き付けた際に、該皮膚に損傷を与えない程度に希釈するオゾン希釈部（２０）と、該オゾン希釈部（２０）で希釈されたオゾン含有気体を噴出させる開閉バルブ（２４）に接続されたプローブ（３０）とを備えているオゾン皮膚洗浄装置であって、該プローブ（３０）は多孔質材料より成り、該プローブ（３０）を温水に浸した際に、生成する泡の径として少なくとも各種類の気体を毛穴径以下の微細径の泡とし、微細泡の状態で混合することを特徴とするものである。
また、該プローブ（３０）の多孔の寸法の選択又は、オゾンや空気の流速や気体供給量を変える事により泡の径が制御可能となり、古い角質層の除去や除菌や殺菌が出来ることも特徴としている。
【作用】
【０００５】  このような構成による本発明のオゾン皮膚洗浄装置によれば、装置本体のタイマー、ハンドルの操作により、オゾン発生部（１０）で生成されるオゾンは、オゾン希釈部（２０）によって人体に害悪を与えない程度に希釈されて、開閉バルブ（２４）の操作によりプローブ（３０）より洗浄対象となる皮膚の部位に供給される。該プローブ（３０）を温水に浸した際に、生成する泡の径として少なくとも各種類の気体を毛穴径以下の微細径の泡とし、微細泡の状態で混合する機構を含むようにしたので、泡の生成、消滅に伴って発生する超音波により、毛穴の奥に位置する汚れ成分が有効に除去される。また、プローブから供給されるオゾンによって、毛穴の奥に位置する汚れ成分が分解されて、洗浄効果が一層高まるものである。該装置を水道水、井戸水、雨水、河川、沼や湖、海水の汲み上げ装置に組み込む事で、微細気泡の超音波による消毒用のオゾン殺菌水の洗浄効果が高まった水を得る事も出来る。
【実施例】
【０００６】  次に、本発明の実施例を図面について説明すると、図１に示す如く装置本体Ａは、大小各種の方形状の筐体（１１）より形成され、その表面には、上部に携帯に便利な各種の把手部（１２）を設けると共に、表面の下部の近傍にオゾン供給口（１６）を装設し、且つ表面側の上部には、パワータイマー（１３）と、オゾンを供給するオゾン供給量ハンドル（１４）及び空気を供給する空気供給ハンドル（１５）を各々並設してある。
前記筐体（１１）の内部には、図２に示す如く、下記の各部を収納している。オゾン発生部（１０）は、放電電極、誘電電極及び外部の高周波高圧電源から構成され、オゾンを生成する。該オゾン希釈部（２０）は、オゾンと空気とを混合して、オゾンの濃度を皮膚に吹き付けた際に、該皮膚に損傷を与えない程度に微細気泡状態で希釈する。該オゾン濃度は、例えば、通常のオゾン殺菌の１００倍以下で制御する。
次に、空気吸入部（２２）は、該オゾン希釈部（２０）で用いる空気を吸入するもので、エアーポンプを装備してある。開閉バルブ（２４）は、該オゾン希釈部（２０）とプローブ（３０）との間に設けられ、気体供給量制御部（２６）から送られる制御されたガス流量設定信号に従って、開閉バルブ（２４）の弁の開度が制御されるものである。【０００７】  次に、該プローブ（３０）は、該オゾン希釈部（２０）で希釈されたオゾン含有気体を噴出させる筒状に形成され、例えばゴム性樹脂等を発泡させた多孔質の材料より構成されている。
図３に示す（Ａ）は、風呂用プローブの一例を示し、風呂用プローブ（Ａ）は、ホース（１７）、接続口（１８）、プローブの先端部（１９）を設けてある。該先端部（ｌ９）には、保持部（１９ａ）と保持部（１９ｃ）との間にオゾン噴出部（１９ｂ）を装設してある。
次に、図３の（Ｂ）は、皮膚洗浄用プロープを示し、ホース（１７）、接続口（１８）を設け、該ホース（１７）の先端にプローブ（３０）を着脱自在としたプローブ連結部（１９ｄ）を装設してある。【０００８】  図４に示すものは、浴槽（４０）に使用した状態を示し、本発明装置の筐体（１１）を浴槽（４０）に近辺に設置し、オゾン供給口（１６）にホース（１７）の先端を接続し、プローブの先端部（１９）を浴槽（４０）の底部に移動自在に配置して使用し、且つ洗顔用に使用したい場合は、風呂用プローブに代えて、皮膚洗浄用プローブを該筐体（１１）に接続するものである。なお、符号（４２）は、水面を示したものである。
【発明の効果】
【０００９】  本発明は、以上説明したようなオゾン皮膚洗浄装置によれば、従来のオゾンを気体として使用したり、オゾンを水に溶解させたオゾン水のように、長時間にわたって殺菌力を保持できない欠点を解決し、皮膚に損傷を与えない程度に希釈した毛穴以下の微細径としたオゾンによって、皮膚洗浄の効果を最大に高めると云う実用的な効果と、装置本体は、構造が非常に簡単で小型化され、移動や設置が容易で、各場所に自由に携帯して使用できる便利な効果もある。そして、オゾンを生成するオゾン発生部は、空気と混合しオゾン希釈部とによって、皮膚に吹き付ける濃度を適度に調整して皮膚に損傷を与えないオゾン希釈による安全性の優れた効果と、オゾン希釈部と連通する開閉バルブによっては、気体供給量との制御を確実に実施し、プローブへの供給作用を円滑、良好として皮膚の洗浄効果を著しく高めると云う優れた効果もある。
また、この装置を水道水等の淡水や海水の汲み上げ装置に組み込む事で、消毒用の超音波オゾン殺菌水として病院の消毒用水としても優れた効果がある。
【図面の簡単な説明】
【図１】  本発明のオゾン皮膚洗浄装置本体の一例を示す構成斜視図である。
【図２】  同じく本発明の一実施の形態に掛かるオゾン皮膚洗浄装置を説明する機能的構成ブロック図である。
【図３】  本発明のオゾン皮膚洗浄装置に用いられるプローブの２例を示す構成図である。
【図４】  本発明を浴槽でオゾン皮膚洗浄装置を利用する場合の説明図である。
【符号の説明】
Ａ        装置本体
１０      オゾン発生部
１１      筐体
１２      把手
１３      パワータイマー
１４      オゾン供給量ハンドル
１５      空気供給量ハンドル
１６      オゾン供給口
１７      ホース
１８      接続口
１９      プロープの先端部
２０      オゾン希釈部
２２      空気吸入部
２４      開閉バルブ
２６      気体供給量制御部
３０      プローブ
【図１】
2005034566.tif 000003
【図２】
2005034566.tif 000004
【図３】
2005034566.tif 000005
【図４】
2005034566.tif 000006